(57)【特許請求の範囲】
【請求項１】
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、を備え、
前記パラメータ値決定手段は、前記基準値設定操作手段により設定された複数の基準値の関係性に基づき、複数のパラメータのうちのいずれか又は全てのパラメータのパラメータ値の数が異なるようにパラメータ値を決定する、
ことを特徴とする撮影装置。
【請求項２】
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、を備え、
前記パラメータ値決定手段は、前記基準値設定操作手段により設定された複数の基準値の関係性に基づき、前記複数のパラメータごとのパラメータ値の数が一定でかつ、当該複数のパラメータのうちのいずれか又は全てのパラメータのパラメータ値と各々の基準値との位置関係が異なるようにパラメータ値を決定する、
ことを特徴とする撮影装置。
【請求項３】
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、
撮像画像を逐次取得する撮像手段と、
前記撮像手段により逐次取得される撮像画像に、前記基準値設定操作手段により設定される前記複数のパラメータごとの基準値の組み合わせによる撮像状態を反映したライブビュー画像を表示手段に表示する制御を行う表示制御手段と、
を備えることを特徴とする撮影装置。
【請求項４】
前記ブラケット値設定手段により設定された複数のブラケット値による撮影状態を反映した複数の撮影画像を生成する生成手段を更に備える、
ことを特徴とする請求項１乃至３の何れか１項に記載の撮影装置。
【請求項５】
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、を備え、
前記種類の異なる複数のパラメータは、画像の特性に応じて関連性を有する異なるパラメータであり、
前記パラメータ値決定手段は、前記複数のパラメータ間の関連性と、前記基準値設定操作手段により設定された当該複数のパラメータごとの基準値間の関連性とに基づき、複数のパラメータごとのパラメータ値を決定する、
ことを特徴とする撮影装置。
【請求項６】
種類の異なる複数のパラメータの値の組み合わせを変化させながら複数の画像を取得するブラケット撮影を行う撮影装置で実行される撮影設定方法あって、
前記複数のパラメータごとにパラメータの値を決定する基準となる基準値を、ユーザ操作により設定する基準値設定操作処理と、
前記複数のパラメータごとに、前記基準値設定操作処理により設定された基準値を基準として複数のパラメータ値を決定するパラメータ値決定処理と、
前記パラメータ値決定処理により決定された前記複数のパラメータごとの複数のパラメータ値の組み合わせにより、ブラケット撮影を行う複数のブラケット値を設定するブラケット値設定処理と、を含み、
前記パラメータ値決定処理では、前記基準値設定操作処理により設定された複数の基準値の関係性に基づき、複数のパラメータのうちのいずれか又は全てのパラメータのパラメータ値の数が異なるようにパラメータ値を決定する、
ことを特徴とする撮影設定方法。
【請求項７】
種類の異なる複数のパラメータの値の組み合わせを変化させながら複数の画像を取得するブラケット撮影を行う撮影装置で実行される撮影設定方法あって、
前記複数のパラメータごとにパラメータの値を決定する基準となる基準値を、ユーザ操作により設定する基準値設定操作処理と、
前記複数のパラメータごとに、前記基準値設定操作処理により設定された基準値を基準として複数のパラメータ値を決定するパラメータ値決定処理と、
前記パラメータ値決定処理により決定された前記複数のパラメータごとの複数のパラメータ値の組み合わせにより、ブラケット撮影を行う複数のブラケット値を設定するブラケット値設定処理と、を含み、
前記パラメータ値決定処理では、前記基準値設定操作処理により設定された複数の基準値の関係性に基づき、前記複数のパラメータごとのパラメータ値の数が一定でかつ、当該複数のパラメータのうちのいずれか又は全てのパラメータのパラメータ値と各々の基準値との位置関係が異なるようにパラメータ値を決定する、
ことを特徴とする撮影設定方法。
【請求項８】
種類の異なる複数のパラメータの値の組み合わせを変化させながら複数の画像を取得するブラケット撮影を行う撮影装置で実行される撮影設定方法あって、
前記複数のパラメータごとにパラメータの値を決定する基準となる基準値を、ユーザ操作により設定する基準値設定操作処理と、
前記複数のパラメータごとに、前記基準値設定操作処理により設定された基準値を基準として複数のパラメータ値を決定するパラメータ値決定処理と、
前記パラメータ値決定処理により決定された前記複数のパラメータごとの複数のパラメータ値の組み合わせにより、ブラケット撮影を行う複数のブラケット値を設定するブラケット値設定処理と、
撮像画像を逐次取得する撮像処理と、
前記撮像処理により逐次取得される撮像画像に、前記基準値設定操作処理により設定される前記複数のパラメータごとの基準値の組み合わせによる撮像状態を反映したライブビュー画像を表示手段に表示する制御を行う表示制御処理と、
を含むことを特徴とする撮影設定方法。
【請求項９】
種類の異なる複数のパラメータの値の組み合わせを変化させながら複数の画像を取得するブラケット撮影を行う撮影装置で実行される撮影設定方法あって、
前記複数のパラメータごとにパラメータの値を決定する基準となる基準値を、ユーザ操作により設定する基準値設定操作処理と、
前記複数のパラメータごとに、前記基準値設定操作処理により設定された基準値を基準として複数のパラメータ値を決定するパラメータ値決定処理と、
前記パラメータ値決定処理により決定された前記複数のパラメータごとの複数のパラメータ値の組み合わせにより、ブラケット撮影を行う複数のブラケット値を設定するブラケット値設定処理と、を含み、
前記種類の異なる複数のパラメータは、画像の特性に応じて関連性を有する異なるパラメータであり、
前記パラメータ値決定処理では、前記複数のパラメータ間の関連性と、前記基準値設定操作処理により設定された当該複数のパラメータごとの基準値間の関連性とに基づき、複数のパラメータごとのパラメータ値を決定する、
ことを特徴とする撮影設定方法。
【請求項１０】
種類の異なる複数のパラメータの値の組み合わせを変化させながら複数の画像を取得するブラケット撮影を行う撮影装置を制御するコンピュータに、
前記複数のパラメータごとにパラメータの値を決定する基準となる基準値を、ユーザ操作により設定する基準値設定操作機能と、
前記複数のパラメータごとに、前記基準値設定操作機能により設定された基準値を基準として複数のパラメータ値を決定するパラメータ値決定機能と、
前記パラメータ値決定機能により決定された前記複数のパラメータごとの複数のパラメータ値の組み合わせにより、ブラケット撮影を行う複数のブラケット値を設定するブラケット値設定機能と、を実現させ、
前記パラメータ値決定機能では、前記基準値設定操作機能により設定された複数の基準値の関係性に基づき、複数のパラメータのうちのいずれか又は全てのパラメータのパラメータ値の数が異なるようにパラメータ値を決定する、
ことを特徴とするプログラム。
【請求項１１】
種類の異なる複数のパラメータの値の組み合わせを変化させながら複数の画像を取得するブラケット撮影を行う撮影装置を制御するコンピュータに、
前記複数のパラメータごとにパラメータの値を決定する基準となる基準値を、ユーザ操作により設定する基準値設定操作機能と、
前記複数のパラメータごとに、前記基準値設定操作機能により設定された基準値を基準として複数のパラメータ値を決定するパラメータ値決定機能と、
前記パラメータ値決定機能により決定された前記複数のパラメータごとの複数のパラメータ値の組み合わせにより、ブラケット撮影を行う複数のブラケット値を設定するブラケット値設定機能と、を実現させ、
前記パラメータ値決定機能では、前記基準値設定操作機能により設定された複数の基準値の関係性に基づき、前記複数のパラメータごとのパラメータ値の数が一定でかつ、当該複数のパラメータのうちのいずれか又は全てのパラメータのパラメータ値と各々の基準値との位置関係が異なるようにパラメータ値を決定する、
ことを特徴とするプログラム。
【請求項１２】
種類の異なる複数のパラメータの値の組み合わせを変化させながら複数の画像を取得するブラケット撮影を行う撮影装置を制御するコンピュータに、
前記複数のパラメータごとにパラメータの値を決定する基準となる基準値を、ユーザ操作により設定する基準値設定操作機能と、
前記複数のパラメータごとに、前記基準値設定操作機能により設定された基準値を基準として複数のパラメータ値を決定するパラメータ値決定機能と、
前記パラメータ値決定機能により決定された前記複数のパラメータごとの複数のパラメータ値の組み合わせにより、ブラケット撮影を行う複数のブラケット値を設定するブラケット値設定機能と、
撮像画像を逐次取得する撮像機能と、
前記撮像機能により逐次取得される撮像画像に、前記基準値設定操作機能により設定される前記複数のパラメータごとの基準値の組み合わせによる撮像状態を反映したライブビュー画像を表示手段に表示する制御を行う表示制御機能と、
を実現させることを特徴とするプログラム。
【請求項１３】
種類の異なる複数のパラメータの値の組み合わせを変化させながら複数の画像を取得するブラケット撮影を行う撮影装置を制御するコンピュータに、
前記複数のパラメータごとにパラメータの値を決定する基準となる基準値を、ユーザ操作により設定する基準値設定操作機能と、
前記複数のパラメータごとに、前記基準値設定操作機能により設定された基準値を基準として複数のパラメータ値を決定するパラメータ値決定機能と、
前記パラメータ値決定機能により決定された前記複数のパラメータごとの複数のパラメータ値の組み合わせにより、ブラケット撮影を行う複数のブラケット値を設定するブラケット値設定機能と、を実現させ、
前記種類の異なる複数のパラメータは、画像の特性に応じて関連性を有する異なるパラメータであり、
前記パラメータ値決定機能は、前記複数のパラメータ間の関連性と、前記基準値設定操作機能により設定された当該複数のパラメータごとの基準値間の関連性とに基づき、複数のパラメータごとのパラメータ値を決定する、
ことを特徴とするプログラム。
【発明の詳細な説明】
【技術分野】
【０００１】
本発明は、撮影装置、撮影設定方法及びプログラムに関する。
【背景技術】
【０００２】
従来より、複数のパラメータの値の組み合わせを変更しながら複数回の撮影を連続して行い、所望する撮影画像を取得するブラケット撮影が広く使用されている。例えば、特許文献１には、組み合わせるパラメータの種類やパラメータの値を変化させるステップをユーザが任意に指定することが可能となっている技術が記載されている。
【先行技術文献】
【特許文献】
【０００３】
【特許文献１】特開２００６−６７４６４号公報
【発明の概要】
【発明が解決しようとする課題】
【０００４】
しかしながら、特許文献１に記載の技術は、撮影装置により自動設定された値を基準としているため、撮影装置により基準値を自動設定できないような場合や、ユーザが基準となる値を設定することが求められるような場合に有効な技術ではない。
【０００５】
本発明は、このような状況に鑑みてなされたものであり、複数のパラメータを組み合わせるブラケット撮影を行う際に、ユーザの所望する設定を容易に反映できるようにすることである。
【課題を解決するための手段】
【０００６】
上記目的を達成するため、本発明の一態様の撮影装置は、
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、を備え、
前記パラメータ値決定手段は、前記基準値設定操作手段により設定された複数の基準値の関係性に基づき、複数のパラメータのうちのいずれか又は全てのパラメータのパラメータ値の数が異なるようにパラメータ値を決定する、
ことを特徴とする。
【発明の効果】
【０００７】
本発明によれば、複数のパラメータを組み合わせるブラケット撮影を行う際に、ユーザの所望する設定を容易に反映することができる。
【図面の簡単な説明】
【０００８】
【図１】本発明の一実施形態に係る撮影装置のハードウェアの構成を示すブロック図である。
【図２】本実施形態におけるパラメータの設定レベルを説明するための模式図である。
【図３】各パラメータの設定テーブルを示す図である。
【図４】本実施形態におけるパラメータの設定画面の表示例を示す模式図である。
【図５】優先パラメータ及び他のパラメータの設定例を示す模式図である。
【図６】優先パラメータ及び他のパラメータの設定例を示す模式図である。
【図７】メイクアップ設定処理を経たライブビュー画像の表示画面の表示例を示した模式図である。
【図８】図１の撮影装置の機能的構成のうち、撮影処理を実行するための機能的構成を示す機能ブロック図である。
【図９】図８の機能的構成を有する図１の撮影装置が実行する撮影処理の流れを説明するフローチャートである。
【図１０】撮影処理にうち、メイクアップ設定処理の流れを説明するフローチャートである。
【図１１】各パラメータの設定テーブルを示す図である。
【図１２】優先パラメータ及び他のパラメータの設定例を示す模式図である。
【図１３】優先パラメータ及び他のパラメータの設定例を示す模式図である。
【図１４】優先パラメータ及び他のパラメータの設定例を示す模式図である。
【図１５】優先パラメータ及び他のパラメータの設定例を示す模式図である。
【図１６】優先パラメータ及び他のパラメータの設定例を示す模式図である。
【発明を実施するための形態】
【０００９】
以下、本発明の実施形態について、図面を用いて説明する。
【００１０】
＜第１の実施形態＞
図１は、本発明の一実施形態に係る撮影装置のハードウェアの構成を示すブロック図である。
撮影装置１は、例えばデジタルカメラとして構成される。
【００１１】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記憶されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」という。撮像画像のデータは、ＣＰＵ１１等に適宜供給される。また、撮影装置１では、撮像部１６から順次出力される撮像画像をライブビュー画像として取得し、後述の入力部１７によるユーザの撮影指示操作により撮像部１６から出力される撮像画像を撮影画像として取得する。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮影装置１は、取得したライブビュー画像や撮影画像等の画像に対して画像処理を施して、被写体である人の顔をより美しく見せてメイクアップの効果を付加した画像（以下、「メイクアップの処理を施した画像」ともいう。）を生成する機能を有する。
【００２１】
ここで、本実施形態におけるメイクアップの処理を施した画像の生成手法について説明する。
メイクアップの処理を施した画像（以下、「処理画像」という。）は、取得した画像の顔部分に対して、肌の状態を変化させるパラメータを変化させる画像処理を施すことにより生成される。
【００２２】
本実施形態において処理画像は、例えば、「目の開き具合」、「充血除去」、「歯の美白」、「肌の色」、「肌のなめらかさ」等のメイクアップの複数のパラメータのうち、視覚的な変化量がより大きい「肌の色」や「肌のなめらかさ」のパラメータについて画像処理を行うことで生成する。
【００２３】
複数のパラメータのうち、「美白」のパラメータは、人の顔の肌の色を変更するパラメータであり、美白の度合いをユーザが任意に変更可能に構成される。
また、複数のパラメータのうち、「肌のなめらかさ」のパラメータは、人の顔の肌のなめらかさを変更するパラメータであり、肌のなめらかさの度合いをユーザが任意に変更可能に構成される。
【００２４】
図２は、本実施形態におけるパラメータの設定レベルを説明するための模式図である。
本実施形態においては、図２に示すように、「パラメータ：美白」では、［レベル１］を、画像処理を施さない［０（切）］とし、［レベル２］乃至［レベル１３］までを、美白の度合いが最も弱い［＋１（弱）］乃至美白の度合いが最も強い［＋１２（強）］としている。なお、［レベル７］においては、標準的な美白の度合いとなる［＋６（標準）］としている。
【００２５】
また、「パラメータ：肌のなめらかさ」では、［レベル１］を、画像処理を施さない［０（切）］とし、［レベル２］乃至［レベル１３］を、肌のなめらかさの程度［＋１（弱）］乃至［＋１２（強）］としている。なお、［レベル７］においては、標準的な肌のなめらかさとなる［＋６（標準）］としている。
【００２６】
また、本実施形態においては、２種類のパラメータごとの複数のパラメータ値を組み合わせた複数のブラケット値で複数枚の異なる画像処理を施した画像を生成する。具体的には、「パラメータ：美白」において、設定した基準値と、基準値を基準にして決定した値と、「パラメータ：肌のなめらかさ」において、設定した基準値と、基準値を基準にして決定した値と、を組み合わせた複数のブラケット値で画像処理を施して、複数枚の処理画像を生成する。
したがって、撮影装置１では、複数の異なるパラメータごとにパラメータ値を変えて、複数の処理画像を生成するために、容易に２軸ブラケットが行えることになる。
【００２７】
本実施形態においては、基本的に、基準値を基準に決定した他のパラメータ値は、基準値から±２レベル（段階）変更した値を用いる。他のパラメータ値は、基本的に、基準値から±２段階変更した値としているため、基準値が上下限値から２段階以内に設定された場合、即ち、上下限値に設定された場合や上下限値から１段階手前に設定された場合には、変更した値とするか、上下限値と基準値との間の１段階に変更した値とするように構成する。即ち、基準値である基準値の設定時に設定可能範囲の端部で＋２／−２が確保できない場合は、他のパラメータ値は、＋１／−１に変化量を縮める、更に、＋１／−１が確保できない場合は、省くため枚数が減ることになる。
【００２８】
図３は、各パラメータの設定テーブルを示す図である。
各パラメータのパラメータ値の設定テーブルは、優先パラメータと他のパラメータとの関連度（本実施形態においては、優先パラメータと他のパラメータの基準値の乖離の度合い）に基づいて予め設計された設定テーブルであり、図３に示すように、優先パラメータと他のパラメータの基準値の差と、各パラメータのパラメータ値の数が対応付けられた設定テーブルである。
各パラメータのパラメータ値の数は、優先パラメータの低いパラメータ値と高いパラメータ値の範囲と、他のパラメータの最も低いパラメータ値と最も高いパラメータ値の範囲との間で隙間が生じないように設定する。
【００２９】
詳細には、設定テーブルでは、優先パラメータの基準値（ＳＡ）と、他のパラメータの基準値（ＳＢ）との差の絶対値（｜ＳＡ−ＳＢ｜）を、所定の範囲のブロック（「０〜４」，「５〜６」，「７〜８」，「９〜１０」，「１１〜１２」）に分けて、対応する範囲の優先パラメータ及び他のパラメータのパラメータ値の数（「基準値間で内側の値の数」，「基準値の数」，「基準値間で外側の値の数」）が対応付けられている。
具体的には、「｜ＳＡ−ＳＢ｜：０〜４」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：１」，「基準値の数：１」，「基準値間で外側の値の数：１」となる。
また、「｜ＳＡ−ＳＢ｜：５〜６」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：２」，「基準値の数：１」，「基準値間で外側の値の数：１」となる。
また、「｜ＳＡ−ＳＢ｜：７〜８」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：３」，「基準値の数：１」，「基準値間で外側の値の数：１」となる。
また、「｜ＳＡ−ＳＢ｜：９〜１０」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：４」，「基準値の数：１」，「基準値間で外側の値の数：０ｏｒ１」となる。
また、「｜ＳＡ−ＳＢ｜：１１〜１２」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：５」，「基準値の数：１」，「基準値間で外側の値の数：０ｏｒ１」となる。
なお、優先パラメータの基準値（ＳＡ）が０か設定可能レベル数（Ｍ）の場合（ＳＡ＝０ｏｒＭ）には、優先パラメータの基準値間で外側の値の数は０となる。
また、｜ＳＡ−ＳＢ｜−ＳＡ＝０又は｜ＳＡ−ＳＢ｜＋Ｓ＝Ｍの場合は、他のパラメータの基準値間で外側の値の数は０となる。
【００３０】
図４は、本実施形態におけるパラメータの設定画面の表示例を示す模式図である。
本実施形態におけるパラメータの設定画面では、図４に示すように、ライブビュー画像を表示する領域Ｒ１と共に、メイクアップに適切であると特定されたパラメータのパラメータ値を設定するためのスライドバーＳＢ１，ＳＢ２を重畳表示しており、画面の下部には、選択されたパラメータの名称と、パラメータ値が表示される領域Ｒ２が設けられる。
【００３１】
肌の色として関連性のある「美白」と「肌のなめらかさ」をメイクアップのパラメータとしている本例では、上段に「美白」のパラメータ値を表すスライドバーＳＢ１、下段に「肌のなめらかさ」のパラメータ値を表すスライドバーＳＢ２が表示されている。
ユーザによってパラメータ値（基準値）の変更可能なスライドバーは、強調表示（図中、スライドバーの太線表示が強調表示）され、ユーザによる入力部１７への操作により、スライドバーをスライドさせて、パラメータ値（基準値）の変更を可能にする。なお、本実施形態では、「美白」のパラメータを優先パラメータとし、「肌のなめらかさ」を他のパラメータとして構成する。
【００３２】
また、スライドバーには、パラメータの効果を視覚的に表現した指標と、パラメータの上限値と下限値が表示される。具体的には、「美白」のスライドバーＳＢ１には、美白を表す指標ＩＣ１と、美白の画像処理を施さない旨の表示である「ＯＦＦ」の文字が表示され、「肌のなめらかさ」のスライドバーＳＢ２には、肌のなめらかさを示す指標ＩＣ２と、肌のなめらかさの画像処理を施さない旨の表示である「ＯＦＦ」の文字が表示される。
このため撮影装置１では、複数のパラメータに対して別途異なる設定画面を設けることなく、１の画面で設定可能であり、特定された複数のパラメータを設定するために最適化された設定画面を提供することができる。
【００３３】
具体的には、優先パラメータである「美白」のパラメータ値（基準値）を変更することにより、対応する優先パラメータの他のパラメータ値が設定される。
そして、他のパラメータである「肌のなめらかさ」のパラメータ値（基準値）を設定すると、「美白」のパラメ−タ値（基準値）との差に基づいて、「肌のなめらかさ」のパラメータ値（基準値）に対応する他のパラメータ値が設定される。
【００３４】
ここで、優先パラメータ及び他のパラメータの設定例について説明する。
図５及び図６は、優先パラメータ及び他のパラメータの設定例を示す模式図である。
【００３５】
優先パラメータ及び他のパラメータの設定は、優先パラメータがレベル±２で設定できる場合には、図５に示すように、設定した優先パラメータの基準値と他のパラメータの基準値間の差に基づいて、他のパラメータの他のパラメータ値が設定される。
優先パラメータがレベル±２で設定できる端において優先パラメータの基準値を設定した場合には、優先パラメータの基準値と、他のパラメータの基準値の差の絶対値は、「０〜４」から「９〜１０」の間となる。
また、優先パラメータがレベル±２で設定できる中央において優先パラメータの基準値を設定した場合には、優先パラメータの基準値と、他のパラメータの基準値の差の絶対値は、「０〜４」から「５〜６」の間となる。
【００３６】
優先パラメータ及び他のパラメータの設定は、優先パラメータの上下いずれかがレベル±１となる場合又は優先パラメータの上下いずれかが設定できない場合では、図６に示すように、他のパラメータの他のパラメータ値が設定される。
優先パラメータの上下いずれかがレベル±１となる場合には、優先パラメータの基準値と、他のパラメータの基準値の差の絶対値は、「０〜４」から「１１〜１２」の間となる。
優先パラメータの上下いずれかが設定できない場合には、優先パラメータの基準値と、他のパラメータの基準値の差の絶対値は、「０〜４」から「１１〜１２」の間となる。
【００３７】
本実施形態においては、図３の設定テーブルを参照して、優先パラメータの基準値と、他のパラメータの基準値の差の絶対値に対応する「基準値間で内側の値の数」及び「基準値間で外側の値の数」が設定される。
【００３８】
また、撮影装置１では、上述した画面表示に加えて以下のような表示も行う。
メイクアップ設定処理を経たライブビュー画像の表示画面の表示例について説明する。
図７は、メイクアップ設定処理を経たライブビュー画像の表示画面の表示例を示した模式図である。
図７の例に示すようにメイクアップ設定処理を経たライブビュー画像の表示画面では、ライブビュー画像に重畳してメイクアップ設定がされた旨を示す指標ＩＣ４と、処理画像が複数枚生成される旨を示す指標ＩＣ５が表示される。
これにより、ユーザは、表示画面を確認すれば、メイクアップ設定がされていることと、撮影した場合に、複数枚の処理画像が生成されることを把握することができる。
【００３９】
このように構成される撮影装置１では、画面上でライブビュー画像を表示しながら、撮影対象に対応した複数のパラメータの設定を１の画面で可能とするＵＩ（Ｕｓｅｒ  Ｉｎｔｅｒｆａｃｅ）を提供することができる。
【００４０】
図８は、このような撮影装置１の機能的構成のうち、撮影処理を実行するための機能的構成を示す機能ブロック図である。
「撮影処理」とは、特定したパラメータの組み合わせによるブラケット値（ユーザが設定した優先パラメータと、他のパラメータごとの基準値及び各基準値に対応して設定され他のパラメータ値の組み合わせ）を設定し、設定した複数のパラメータ値の組み合わせに基づいて画像処理を施した処理画像を生成して取得し、ライブビュー画像を表示したり、撮影画像を記憶したりするまでの一連の処理である。
また、「メイクアップ設定処理」とは、画像処理の行程で施すことが適切であるパラメータを特定して、特定したパラメータのパラメータ値を設定する処理である。「メイクアップ設定処理」では、パラメータ値の設定に際して、ユーザが設定した基準値の組み合わせで画像処理を施したライブビュー画像を表示する。
【００４１】
メイクアップ設定処理を含む撮影処理を実行する場合には、図８に示すように、ＣＰＵ１１において、撮像制御部５１と、操作検出部５２と、モード設定部５３と、画像取得部５４と、画像処理部５５と、表示制御部５６と、記憶制御部５７と、パラメータ設定部５８と、を備える。
【００４２】
記憶部１９の一領域には、パラメータ情報記憶部７１と、画像記憶部７２と、が設けられる。
【００４３】
パラメータ情報記憶部７１には、メイクアップの画像処理を施すためのパラメータに関する情報が記憶されている。具体的には、パラメータ情報記憶部７１には、図３に示すような構成の設定テーブルがパラメータ値の参照用に記憶されており、現在のパラメータごとの基準値についても合わせて記憶されている。
【００４４】
画像記憶部７２には、撮像部１６から出力される撮像画像を取得して撮影処理が行われた撮影画像やその撮影画像に画像処理を施した撮影画像が記憶される。
【００４５】
撮像制御部５１は、ユーザからの入力部１７を介した撮影開始指示に基づいて、撮像処理を実行させたり、ライブビュー画像の表示を開始したりするように撮像部１６を制御する。
【００４６】
操作検出部５２は、ユーザによる入力部１７への操作を検出する。具体的には、操作検出部５２は、モード設定を行う操作、メイクアップ設定処理を開始させる操作、撮影指示操作、メイクアップ設定処理における優先パラメータ及び他のパラメータの基準値の変更操作、処理の終了操作等の各種操作を検出する。
【００４７】
モード設定部５３は、操作検出部５２により検出された入力部１７へのモード設定を行う操作に基づいて、例えば、通常・夜景・風景・花等の撮影の状態に適した撮影設定を行う撮影のモードを設定する。本実施形態のメイクアップの画像処理を行う「メイクアップモード」も撮影のモードの１として設定される。モード設定部５３によりモード設定されない場合には、例えば、通常撮影モード等の初期設定のモードや前回設定したモードとなる。
【００４８】
画像取得部５４は、撮像部１６から出力された撮像画像を取得する。
【００４９】
画像処理部５５は、画像取得部５４によって取得された撮像画像に対して、設定された複数のブラケット値の組み合わせによる画像処理を施して処理画像（画像処理が施された撮影画像）を生成する。
【００５０】
画像処理部５５は、「美白」をパラメータにして画像処理を施す場合には、肌の色に対して、肌の色に適した白の度合いを変化させる画像処理である美白処理を施す。なお、美白処理は、各々周知の画像処理技術を用いることで実現可能であるため、ここでは詳細な説明は省略する。
また、画像処理部５５は、「肌のなめらかさ」をパラメータにして画像処理を施す場合には、肌の領域に対して、なめらかさの程度を変更する画像処理を施す。なお、肌領域のなめらかさを変更する画像処理は、周知の画像処理技術を用いることで実現可能であるため、ここでは詳細な説明は省略する。
【００５１】
また、画像処理部５５は、後述するパラメータ設定部５８により特定されたパラメータが「美白」と「肌のなめらかさ」である場合には、「肌のなめらかさ」による画像処理を行ってから、「美白」についての画像処理を行う。即ち、撮像画像に対して設定されている「肌のなめらかさ」による画像処理を行った複数の処理画像を基に、設定されている「美白」のブラケットを行い、複数の処理画像を生成する。これにより、撮影装置１では、２軸ブラケットが行えることになる。
【００５２】
具体的には、画像処理部５５は、まず、優先パラメータである「美白」のパラメータのパラメータ値、すなわち、任意に設定されている基準値と、後述するパラメータ設定部５８により設定される、基準値を基準に決定した他のパラメータ値で画像処理を施して複数の処理画像を生成する。
そして、画像処理部５５は、「美白」の複数のパラメータ値で画像処理した複数の処理画像に対して、順次「肌のなめらかさ」の画像処理を施して、複数枚の処理画像を生成する。即ち、画像処理部５５は、「美白」のパラメータで画像処理した複数の処理画像の各々に対して、「肌のなめらかさ」の複数のパラメータ値で画像処理を施して、「美白」のパラメータ値数と「肌のなめらかさ」のパラメータ値の数を乗じた枚数の処理画像を生成する。
【００５３】
本実施形態においては、画像処理部５５は、「美白」のパラメータ値である基準値及びその基準値から所定値増減した他のパラメータ値と、「肌のなめらかさ」のパラメータ値である基準値及びその基準値から所定値増減した他のパラメータ値とを組み合わせて画像処理を施す。結果として、４から１８枚の処理画像が生成されることとなる。
【００５４】
表示制御部５６は、画像等を表示出力するように出力部１８を制御する。
具体的には、表示制御部５６は、ライブビュー画像を表示出力したり、メイクアップの設定がある場合には、設定されたパラメータ値（基準値）の組み合わせで画像処理を施したライブビュー画像を表示出力したり、パラメータの設定画面をライブビュー画像と共に表示出力したりするように出力部１８を制御する。
【００５５】
記憶制御部５７は、撮像部１６から出力される撮像画像を取得した撮影画像を画像記憶部７２に記憶させる。メイクアップの設定がある場合には、画像処理部５５が、設定されたブラケット値で画像処理を施した撮影画像を画像記憶部７２に記憶させる。
【００５６】
パラメータ設定部５８は、メイクアップに適切であるパラメータとして、「美白」を優先パラメータ、「肌のなめらかさ」を他のパラメータとして特定する。
また、パラメータ設定部５８は、特定した優先パラメータと他のパラメータにおけるパラメータ値（基準値及び他のパラメータ値）を組み合わせて複数のブラケット値を設定する。本実施形態においては、パラメータ設定部５８は、まず、「美白」「肌のなめらかさ」のパラメータごとに、ユーザによって入力部１７を介して設定された基準値と、基準値を基準として他のパラメータ値を決定する。そしてパラメータごとの複数のパラメータ値を組み合わせて複数のブラケット値を設定する。
また、他のパラメータのパラメータ値の設定は、ユーザによって設定された優先パラメータと他のパラメータの基準値の差分の絶対値を算出することにより行う。算出された絶対値に基づいて、本実施形態においては、図３に示す設定テーブルを参照して、対応するパラメータ値の数を設定する。
【００５７】
図９は、図８の機能的構成を有する図１の撮影装置１が実行する撮影処理の流れを説明するフローチャートである。
撮影処理は、ユーザによる入力部１７への開始の操作により開始される。
【００５８】
ステップＳ１１において、撮像制御部５１は、ライブビュー画像の表示を開始するように撮像部１６を制御する。
【００５９】
ステップＳ１２において、操作検出部５２は、ユーザにより入力部１７に対してモード設定操作があったか否かを判定する。
メイクアップモードでなく、メイクアップモードに設定する必要であるためモード設定操作があった場合には、ステップＳ１２においてＹＥＳと判定されて、処理はステップＳ１３に進む。
既にメイクアップモードであり、モードの設定する必要がないためモード設定操作がない場合には、ステップＳ１２においてＮＯと判定されて、処理はステップＳ１４に進む。
【００６０】
ステップＳ１３において、モード設定部５３は、ユーザによる入力部１７の操作に応じてメイクアップモードを設定する。
【００６１】
ステップＳ１４において、操作検出部５２は、ユーザにより入力部１７に対してメイクアップ設定処理操作があったか否かを判定する。
メイクアップ設定処理操作があった場合には、ステップＳ１４においてＹＥＳと判定されて、処理はステップＳ１５に進む。
メイクアップ設定処理操作がない場合には、ステップＳ１４においてＮＯと判定されて、処理はステップＳ１６に進む。
【００６２】
ステップＳ１５において、画像取得部５４と、画像処理部５５と、表示制御部５６と、パラメータ設定部５８は、メイクアップ設定処理を実行する。メイクアップ設定処理の詳細な流れについては、後述する。
メイクアップ設定処理が実行された結果、画像処理に用いるパラメータ（本実施形態においては、「美白」「肌のなめらかさ」）ごとの複数のパラメータ値の組み合わせである複数のブラケット値が設定される。
【００６３】
ステップＳ１６において、操作検出部５２は、撮影指示操作があったか否かを判定する。
撮影指示操作があった場合には、ステップＳ１６においてＹＥＳと判定されて、処理はステップＳ２１に進む。ステップＳ２１以降の処理は、後述する。
撮影指示操作がない場合には、ステップＳ１６においてＮＯと判定されて、処理はステップＳ１７に進む。
【００６４】
ステップＳ１７において、画像取得部５４は、撮像部１６から出力される撮像画像をライブビュー画像として取得する。
【００６５】
ステップＳ１８において、パラメータ設定部５８は、メイクアップ設定があったか否かを判定する。即ち、パラメータ設定部５８は、ステップＳ１５において、メイクアップ設定処理により、画像処理に用いるパラメータ値（基準値）が設定されたか否かを判定する。
メイクアップ設定があった場合には、ステップＳ１８においてＹＥＳと判定されて、処理はステップＳ１９に進む。
メイクアップ設定がない場合には、ステップＳ１８においてＮＯと判定されて、処理はステップＳ２０に進む。
【００６６】
ステップＳ１９において、画像処理部５５は、画像取得部５４により取得したライブビュー画像に対して、画像処理を施して処理画像を生成する。詳細には、画像処理部５５は、取得したライブビュー画像に対して、設定された複数のブラケット値で画像処理を施す。画像処理部５５は、「美白」のパラメータ値である基準値で画像処理を施した処理画像を生成し、処理画像に対して、さらに「肌のなめらかさ」のパラメータ値である基準値で画像処理を施して処理画像を生成する。
【００６７】
ステップＳ２０において、表示制御部５６は、ライブビュー画像を表示出力するように出力部１８を制御する。その結果、出力部１８には、ステップＳ１７で取得したライブビュー画像又は、ステップＳ１９でメイクアップ設定がされている場合には、図７に示すような表示画面が表示され、メイクアップの処理を施したライブビュー画像（詳細には、取得したライブビュー画像に対して、設定したパラメータ値（基準値）で画像処理を施して生成した処理画像）が表示される。
その後、処理はステップＳ２５に進む。ステップＳ２５の処理については後述する。
【００６８】
ステップＳ２１において、画像取得部５４は、ユーザによる入力部１７への撮影指示操作が行われ、撮像制御部５１により撮像処理を行うように撮像部１６が制御された結果、撮像部１６から出力される撮像画像を撮影画像として取得する。
【００６９】
ステップＳ２２において、パラメータ設定部５８は、メイクアップ設定があったか否かを判定する。即ち、パラメータ設定部５８は、ステップＳ１５において、メイクアップ設定処理により、画像処理に用いる複数のブラケット値が設定されたか否かを判定する。
メイクアップ設定があった場合には、ステップＳ２２においてＹＥＳと判定されて、処理はステップＳ２３に進む。
メイクアップ設定がない場合には、ステップＳ２２においてＮＯと判定されて、処理はステップＳ２４に進む。
【００７０】
ステップＳ２３において、パラメータ設定部５８によって設定された複数のブラケット値に従って、画像処理部５５は、画像取得部５４により取得した撮影画像に対して、画像処理を施して処理画像を生成する。詳細には、画像処理部５５は、取得した撮影画像に対して、設定された複数のブラケット値で画像処理を施す。画像処理部５５は、「美白」のパラメータ値である基準値と他のパラメータ値で画像処理を施した複数の処理画像を生成し、さらに処理画像の各々に対して、「肌のなめらかさ」のパラメータ値である基準値と他のパラメータ値で画像処理を施して複数の処理画像を生成する。
具体的には、画像処理部５５は、パラメータ設定部５８によって設定されたパラメータに従って、まず、「美白」のパラメータ値である基準値と他のパラメータ値で画像処理を施した複数の処理画像の各々に対して、「肌のなめらかさ」のパラメータ値である基準値と他のパラメータ値で画像処理を施して、複数の処理画像を生成する。
【００７１】
ステップＳ２４において、記憶制御部５７は、画像記憶部７２に撮影画像を記憶させる。詳細には、記憶制御部５７は、メイクアップ設定がされている場合には、設定された複数のブラケット値で画像処理を施した複数の撮影画像（詳細には、撮影画像に対して、設定された複数のブラケット値で画像処理を施して生成した複数の処理画像）を記憶させるように画像記憶部７２を制御する。
【００７２】
ステップＳ２５において、操作検出部５２は、ユーザにより入力部１７に対して、終了操作があったか否かを判定する。
終了操作がない場合には、ステップＳ２５においてＮＯと判定されて、処理はステップＳ１２に戻る。
終了操作があった場合には、ステップＳ２５においてＹＥＳと判定されて、撮影処理は終了する。
【００７３】
図１０は、撮影処理にうち、メイクアップ設定処理の流れを説明するフローチャートである。
【００７４】
ステップＳ４１において、パラメータ設定部５８は、複数のパラメータのうち、メイクアップに用いるパラメータを特定する。本実施形態においては、パラメータ設定部５８は、複数のパラメータのうち、メイクアップに適した「美白」を優先パラメータ、「肌のなめらかさ」を他のパラメータとして特定する。
【００７５】
ステップＳ４２において、画像取得部５４は、撮像部１６から出力されるライブビュー画像を取得する。
【００７６】
ステップＳ４３において、操作検出部５２は、ユーザによる入力部１７への基準値の変更操作があったか否かを判定する。具体的には、ユーザによる入力部１７への基準値の変更操作として、図４に示すような各パラメータのスライドバーにおける基準値を表すバーＢＲ１の位置を変更するような操作が行われたか否かを判定する。
基準値の変更操作があった場合には、ステップＳ４３においてＹＥＳと判定されて、処理はステップＳ４４に進む。
基準値の変更操作がない場合には、ステップＳ４３においてＮＯと判定されて、処理はステップＳ４５に進む。
【００７７】
ステップＳ４４において、画像処理部５５は、画像取得部５４により取得したライブビュー画像に対して、画像処理を施して処理画像を生成する。詳細には、画像処理部５５は、ライブビュー画像に対して、設定されたパラメータ値で画像処理を施す。画像処理部５５は、メイクアップ設定処理で特定したパラメータが「美白」と、「肌のなめらかさ」である場合には、「肌のなめらかさ」のパラメータ値である基準値で画像処理を施した処理画像を生成し、処理画像に対して、さらに「美白」のパラメータ値である基準値で画像処理を施して処理画像を生成する。
【００７８】
ステップＳ４５において、表示制御部５６は、ライブビュー画像と現在のパラメータ値を表示出力するように出力部１８を制御する。その結果、出力部１８には、図７に示すような表示画面が表示され、メイクアップの処理を施したライブビュー画像（詳細には、ライブビュー画像に対して、ステップＳ４２で取得されたライブビュー画像或いはステップＳ４４で設定したパラメータ値（基準値）の組み合わせで画像処理を施して生成した処理画像）が表示される。
【００７９】
ステップＳ４６において、操作検出部５２は、ユーザにより入力部１７に対して、終了操作があったか否かを判定する。
終了操作がない場合には、ステップＳ４６においてＮＯと判定されて、処理はステップＳ４２に戻る。
終了操作があった場合には、ステップＳ４６においてＹＥＳと判定されて、ステップＳ４７に進む。
【００８０】
ステップＳ４７において、パラメータ設定部５８は、優先パラメータの基準値と他のパラメータの基準値の差分の絶対値を算出して、算出した絶対値に基づいて、図３の設定テーブルを参照して、パラメータ値（優先／他のパラメータの基準値と他のパラメータ値）を決定する。その後、メイクアップ設定処理は終了する。
【００８１】
したがって、撮影装置１においては、複数のパラメータを組み合わせるブラケット撮影を行う際に、撮影装置により基準値を自動設定できないような場合や、ユーザが基準となる値を設定するような場合であっても、容易にユーザの設定を反映することができる。また、画面上でライブビュー画像を表示しながら、撮影対象に対応した複数のパラメータの設定を、それら複数のパラメータに最適化された１の画面で可能とするＵＩ（Ｕｓｅｒ  Ｉｎｔｅｒｆａｃｅ）を提供することができる。
【００８２】
＜第２の実施形態＞
上述した実施形態では、複数のパラメータの組み合わせに応じて、適切なブラケット撮影枚数を自動で異なるように設定したり、複数のパラメータの各基準値間の乖離が大きいほど、他のパラメータ値の数を増やしたり、他のパラメータ値の数は基準値間の内側方向に増やしたりして構成したが、本実施形態では、複数のパラメータの組み合わせに応じて、他のパラメータ値の数は固定としつつ、基準値と他のパラメータ値の位置関係を異なるように設定したり、複数のパラメータの各基準値間の乖離が大きい場合は、基準値間の外側の他のパラメータ値を内側に移動させたり、優先でない他のパラメータを先に移動させたりするように構成する。
【００８３】
本実施形態は、上述の実施形態における図３のパラメータの設定テーブルを図１１に示すパラメータの設定テーブルに置き換えることで実現されるものであるため、その他の箇所の説明は省略する。
本実施形態のパラメータの設定テーブルについて説明する。
図１１は、パラメータの設定テーブルを示す図である。
本実施形態においては、複数のパラメータの組み合わせに応じて、他のパラメータ値の数は固定としつつ、基準値と他のパラメータ値の位置関係を異なるように設定したり、複数のパラメータの各基準値間の乖離が大きい場合は、基準値間の外側の他のパラメータ値を内側に移動させたり、優先でない他のパラメータを先に移動させたりするように、図１１に示すように、構成する。
【００８４】
即ち、設定テーブルでは、優先パラメータの基準値（ＳＡ）と、他のパラメータの基準値（ＳＢ）との差の絶対値（｜ＳＡ−ＳＢ｜）を、所定の範囲のブロック（「０〜４」，「５〜６」，「７〜１２」）に分けている。
具体的には、「｜ＳＡ−ＳＢ｜：０〜４」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：０ｏｒ１」となり、他のパラメータは「基準値間で内側の値の数：１」，「基準値の数：１」，「基準値間で外側の値の数：０ｏｒ１」となる。
また、「｜ＳＡ−ＳＢ｜：５〜６」となるような優先パラメータの基準値（ＳＡ）と、他のパラメータの基準値（ＳＢ）を設定した場合には、優先パラメータは「基準値間で内側の値の数：１」，「基準値の数：１」，「基準値間で外側の値の数：１」となり、他のパラメータは「基準値間で内側の値の数：２」，「基準値の数：１」，「基準値間で外側の値の数：０」となる。
また、「｜ＳＡ−ＳＢ｜：７〜１２」となるような優先パラメータの基準値（ＳＡ）と、他のパラメータの基準値（ＳＢ）を設定した場合には、優先パラメータは「基準値間で内側の値の数：２」，「基準値の数：１」，「基準値間で外側の値の数：０」となり、他のパラメータは「基準値間で内側の値の数：２」，「基準値の数：１」，「基準値間で外側の値の数：０」となる。
【００８５】
ここで、優先パラメータ及び他のパラメータの設定例について説明する。
図１２〜図１６は、優先パラメータ及び他のパラメータの設定例を示す模式図である。
【００８６】
優先パラメータ及び他のパラメータの設定は、優先パラメータがレベル±２で設定できる場合には、図１２〜図１４に示すように、複数のパラメータの組み合わせに応じて、他のパラメータ値の数は固定としつつ、基準値と他のパラメータ値の位置関係を異なるように設定したり、複数のパラメータの各基準値間の乖離が大きい場合は、優先パラメータの数を増やしたり、基準値間の外側の他のパラメータ値を内側に移動させたり、優先でない他のパラメータを先に移動させる。
具体的には、優先パラメータの基準値と、他のパラメータの基準値の差の絶対値が「０〜４」の場合には、優先パラメータと他のパラメータのいずれにおいても、内側の他のパラメータ値と基準値と外側の他のパラメータ値の位置関係は維持するように設定する。優先パラメータの基準値と、他のパラメータの基準値の差の絶対値が「５〜６」の場合には、優先パラメータの基準値と他のパラメータ値との位置関係は維持しつつ、他のパラメータの他のパラメータ値のうち、基準値間の外側の他のパラメータ値を内側に移動させて基準値と他のパラメータ値の位置関係を異なるように設定する。優先パラメータの基準値と、他のパラメータの基準値の差の絶対値が「７〜１０」の場合には、優先パラメータと他のパラメータの他のパラメータ値のいずれにおいても、基準値間の外側の他のパラメータ値を内側に移動させて基準値と他のパラメータ値の位置関係を異なるように設定する。
【００８７】
また、優先パラメータ上下のいずれかがレベル±１となる場合には、図１５に示すように、優先パラメータの基準値と、他のパラメータの基準値の差の絶対値が「０〜４」の場合には、優先パラメータと他のパラメータのいずれにおいても、内側の他のパラメータ値と基準値と外側の他のパラメータ値の位置関係は維持するように設定する。優先パラメータの基準値と、他のパラメータの基準値の差の絶対値が「５〜６」の場合には、優先パラメータの基準値と他のパラメータ値との位置関係は維持しつつ、他のパラメータの他のパラメータ値のうち、基準値間の外側の他のパラメータ値を内側に移動させて基準値と他のパラメータ値の位置関係を異なるように設定する。優先パラメータの基準値と、他のパラメータの基準値の差の絶対値が「７〜１１」の場合には、優先パラメータと他のパラメータの他のパラメータ値のいずれにおいても、基準値間の外側の他のパラメータ値を内側に移動させて基準値と他のパラメータ値の位置関係を異なるように設定する。
【００８８】
また、優先パラメータ上下のいずれかが設定できない場合、即ち基準値間の外側の他のパラメータ値が設定できない場合には、図１６に示すように、優先パラメータの基準値と、他のパラメータの基準値の差の絶対値が「０〜４」の場合には、優先パラメータと他のパラメータのいずれにおいても、内側の他のパラメータ値と基準値と外側の他のパラメータ値炉の位置関係は維持するように設定する。優先パラメータの基準値と、他のパラメータの基準値の差の絶対値が「５〜６」の場合には、優先パラメータの基準値と他のパラメータ値との位置関係は維持しつつ、他のパラメータの他のパラメータ値のうち、基準値間の外側の他のパラメータ値を内側に移動させて基準値と他のパラメータ値の位置関係を異なるように設定する。優先パラメータの基準値と、他のパラメータの基準値の差の絶対値が「７〜１２」の場合には、優先パラメータの設定できなかった基準値の外側の他のパラメータ値を内側に設定するとともに、他のパラメータの基準値間の外側の他のパラメータ値を内側に移動させて基準値と他のパラメータ値の位置関係を異なるように設定する。
【００８９】
なお、他のパラメータの基準値間の外側のパラメータが、上下のいずれかでレベル±１となる場合には、上下のいずれかでレベル±１で設定する。また、他のパラメータの基準値間の外側のパラメータが設定できない場合は、優先パラメータの基準値と、他のパラメータの基準値の差の絶対値が「０〜６」の場合は、外側の他のパラメータ値は設定せず、「７〜１２」の場合は、基準値間で内側に移動させて設定する。
【００９０】
以上のように構成される撮影装置１は、複数のパラメータの値の組み合わせを変化させながら複数の画像を取得するブラケット撮影を行う。
また、撮影装置１は、入力部１７と、パラメータ設定部５８と、を備える。
入力部１７は、種類の異なる複数のパラメータごとにパラメータの値を決定する基準となる基準値を、ユーザ操作により設定する。
パラメータ設定部５８は、複数のパラメータごとに、入力部１７により設定された基準値を基準としてパラメータ値を決定する。
パラメータ設定部５８は、決定された複数のパラメータごとのパラメータ値の組み合わせにより、ブラケット撮影を行う複数のブラケット値を設定する。
これにより、撮影装置１においては、複数のパラメータを組み合わせるブラケット撮影を行う際に、撮影装置１により基準値を自動設定できないような場合や、ユーザが基準となる値を設定するような場合であっても、容易にユーザの設定を反映することができる。
【００９１】
パラメータ設定部５８は、入力部１７により設定された複数の基準値の関係性に基づき、複数のパラメータのうちのいずれか又は全てのパラメータのパラメータ値の数が異なるようにパラメータ値を決定する。
これにより、撮影装置１においては、ユーザが設定した基準に基づいて、ブラケット撮影を行うことができ、容易にユーザの設定を反映することができる。
【００９２】
また、撮影装置１は、入力部１７により設定された複数のパラメータごとの基準値間の関連度を算出するパラメータ設定部５８を、更に備える。
パラメータ設定部５８は、算出された関連度に基づき、複数のパラメータのうちのいずれか又は全てのパラメータのパラメータ値の数が異なるようパラメータ値を決定する。
これにより、撮影装置１においては、パラメータごとの基準値間の関連度に基づいて、パラメータ値を設定するために、ユーザが設定した基準に基づいて、ブラケット撮影を行うことができ、容易にユーザの設定を反映することができる。
【００９３】
パラメータ設定部５８は、複数のパラメータごとの基準値間の差を算出する。
パラメータ設定部５８は、パラメータ設定部５８により算出された差に基づき、複数のパラメータのうちのいずれか又は全てのパラメータのパラメータ値の数が異なるようパラメータ値を決定する。
これにより、撮影装置１においては、基準となるパラメータの値の差を関連度とするために、容易にパラメータの値を設定することができる。
【００９４】
パラメータ設定部５８は、パラメータ設定部５８により算出された差が大きいほど、複数のパラメータのうちのいずれか又は全てのパラメータのパラメータ値の数が多くなるようにパラメータ値を決定する。
これにより、撮影装置１においては、基準となるパラメータの値の差が大きいほど、パラメータの値の数を多くするために、乖離したような関係性の薄くなった状態でも効果的なブラケット撮影を行うことができる。
【００９５】
パラメータ設定部５８は、パラメータ設定部５８により算出された差が大きいほど、複数のパラメータのうちのいずれか又は全てのパラメータのパラメータ値のうち、当該複数のパラメータごとの基準値間で内側となるパラメータ値の数が多くなるようにパラメータ値を決定する。
これにより、撮影装置１においては、基準となるパラメータの値の差が大きいほど、パラメータの値の数を多くするために、乖離したような関係性の薄くなった状態でも効果的なブラケット撮影を行うことができる。
【００９６】
パラメータ設定部５８は、入力部１７により設定された複数の基準値の関係性に基づき、複数のパラメータごとのパラメータ値の数が一定でかつ、当該複数のパラメータのうちのいずれか又は全てのパラメータのパラメータ値と各々の基準値との位置関係が異なるようにパラメータ値を決定する。
これにより、撮影装置１においては、基準となるパラメータの値の差が大きいほど、パラメータの値の数を多くするために、乖離したような関係性の薄くなった状態でも効果的なブラケット撮影を行うことができる。
【００９７】
また、撮影装置１は、パラメータ設定部５８を、更に備える。
パラメータ設定部５８は、入力部１７により設定された複数のパラメータごとの基準値間の関連度を算出する。
パラメータ設定部５８は、パラメータ設定部５８により算出された関連度に基づき、複数のパラメータごとのパラメータ値の数が一定でかつ、基準値との位置関係が異なるようにパラメータ値を決定する。
これにより、撮影装置１においては、ユーザが設定した基準に基づいて、ブラケット撮影を行うことができ、容易にユーザの設定を反映することができる。
【００９８】
パラメータ設定部５８は、複数のパラメータごとの基準値間の差を算出する。
パラメータ設定部５８は、パラメータ設定部５８により算出された差に基づき、複数のパラメータのうちのいずれか又は全てのパラメータのパラメータ値と各々の基準値との位置関係が異なるようにパラメータ値を決定する。
これにより、撮影装置１においては、基準となるパラメータの値の差を関連度とするために、容易にパラメータの値を設定することができる。
【００９９】
パラメータ設定部５８は、パラメータ設定部５８により算出された差が所定の閾値より大きい場合に、複数のパラメータのうちのいずれか又は全てのパラメータのパラメータ値を、当該複数のパラメータごとの基準値間で内側となる位置に決定する。
これにより、撮影装置１においては、基準となるパラメータの値の差が大きいほど、パラメータの値の数を多くするために、乖離したような関係性の薄くなった状態でも効果的なブラケット撮影を行うことができる。
【０１００】
パラメータ設定部５８は、複数のパラメータごとの優先度に基づく順番で、複数のパラメータのパラメータ値を、当該複数のパラメータごとの基準値間で内側となる位置に決定する。
これにより、撮影装置１においては、基準となるパラメータの値の差が大きいほど、パラメータの値の数を多くするために、乖離したような関係性の薄くなった状態でも効果的なブラケット撮影を行うことができる。
【０１０１】
また、撮影装置１は、撮像部１６と、表示制御部５６と、出力部１８とを備える。
撮像部１６は、撮像画像を逐次取得する。
表示制御部５６は、撮像部１６により逐次取得される撮像画像に、入力部１７により設定される複数のパラメータごとの基準値の組み合わせによる撮像状態を反映したライブビュー画像を出力部１８に表示する制御を行う。
これにより、撮影装置１においては、パラメータごとの基準値の組み合わせによる撮像状態を確認しながら、パラメータ設定を行うことができる。
【０１０２】
また、画像処理部５５は、パラメータ設定部５８により設定された複数のブラケット値による撮影状態を反映した複数の撮影画像を生成する。
これにより、撮影装置１においては、設定された複数のブラケット値による撮影状態を反映した複数の撮影画像を確認して、パラメータ設定を行うことができる。
【０１０３】
種類の異なる複数のパラメータは、画像の特性に応じて関連性を有する異なるパラメータである。
パラメータ設定部５８は、複数のパラメータ間の関連性と、入力部１７により設定された当該複数のパラメータごとの基準値間の関連性とに基づき、複数のパラメータごとのパラメータ値を設定する。
これにより、撮影装置１においては、パラメータごとの基準値を設定するだけで、画像の特性に応じて関連性を有する異なるパラメータの値を設定することができる。
【０１０４】
なお、本発明は、上述の実施形態に限定されるものではなく、本発明の目的を達成できる範囲での変形、改良等は本発明に含まれるものである。
【０１０５】
また、上述の第１の実施形態では、他のパラメータのパラメータ値の数だけを変化させているが、優先パラメータだけ、或いは両方のパラメータのパラメータの数を基準値間の差に応じて変化させるようにしてもよい。
【０１０６】
また、上述の各実施形態では、メイクアップのパラメータとして「美白」と「肌のなめらかさ」をブラケットの対象としているが、視覚的な変化量（効果）が大きいパラメータがより適切であるとして、ブラケットの対象としてもよい。
ここで、メイクアップの他のパラメータの例として、「目の開き具合」、「充血除去」、「歯の美白」等が挙げられる。
【０１０７】
また、上述の各実施形態では、メイクアップ機能について言及したが、これに限られず、複数のパラメータの設定をライブビュー画面上で撮影対象に対応した１の画面で可能とするようなものであれば、よい。他の撮影対象の例として、「花」で「彩度」や「背景ぼかし」、「紅葉」で「コントラスト」や「赤の強調」等が挙げられる。
【０１０８】
また、上述の各実施形態では、画像処理を「美白」「肌のなめらかさ」の順に施しているが、「肌のなめらかさ」「美白」の順であってもよい。
【０１０９】
また、上述の各実施形態では、１枚の撮像画像に対して複数回の画像処理をかけて複数枚の撮影画像を生成しているが、パラメータの値の組み合わせであるブラケット値を撮影毎に変更して複数回の撮影を行い複数枚の撮影画像を生成する、通常のブラケット撮影であってもよい。
【０１１０】
また、上述の各実施形態では、設定可能なパラメータの種類は２であるが、３以上でもよく、その場合、スライドバーも相当する数となるように構成する。
【０１１１】
また、上述の実施形態では、ブラケット値は、基準値を基準としてプラスマイナス方向に各々所定量変化させた値としたが、これに限られず、基準は中心でなくてもよく、全てのパラメータ値をユーザが任意に設定できるように構成してもよい。
【０１１２】
また、上述の実施形態では、本発明が適用される撮影装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１１３】
上述した一連の処理は、ハードウェアにより実行させることもできるし、ソフトウェアにより実行させることもできる。
換言すると、図８の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図７の例に限定されない。
また、１つの機能ブロックは、ハードウェア単体で構成してもよいし、ソフトウェア単体で構成してもよいし、それらの組み合わせで構成してもよい。
【０１１４】
一連の処理をソフトウェアにより実行させる場合には、そのソフトウェアを構成するプログラムが、コンピュータ等にネットワークや記憶媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１５】
このようなプログラムを含む記憶媒体は、ユーザにプログラムを提供するために装置本体とは別に配布される図１のリムーバブルメディア３１により構成されるだけでなく、装置本体に予め組み込まれた状態でユーザに提供される記憶媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記憶媒体は、例えば、プログラムが記憶されている図１のＲＯＭ１２や、図１の記憶部１９に含まれるハードディスク等で構成される。
【０１１６】
なお、本明細書において、記憶媒体に記憶されるプログラムを記述するステップは、その順序に沿って時系列的に行われる処理はもちろん、必ずしも時系列的に処理されなくとも、並列的或いは個別に実行される処理をも含むものである。
【０１１７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１８】
以下に、本願の出願当初の特許請求の範囲に記載された発明を付記する。
［付記１］
種類の異なる複数のパラメータの値の組み合わせを変化させながら複数の画像を取得するブラケット撮影を行う撮影装置であって、
前記複数のパラメータごとにパラメータの値を決定する基準となる基準値を、ユーザ操作により設定する基準値設定操作手段と、
前記複数のパラメータごとに、前記基準値設定操作手段により設定された基準値を基準として複数のパラメータ値を決定するパラメータ値決定手段と、
前記パラメータ値決定手段により決定された前記複数のパラメータごとの複数のパラメータ値の組み合わせにより、ブラケット撮影を行う複数のブラケット値を設定するブラケット値設定手段と、
を備えることを特徴とする撮影装置。
［付記２］
前記パラメータ値決定手段は、前記基準値設定操作手段により設定された複数の基準値の関係性に基づき、複数のパラメータのうちのいずれか又は全てのパラメータのパラメータ値の数が異なるようにパラメータ値を決定する、
ことを特徴とする付記１に記載の撮影装置。
［付記３］
前記基準値設定操作手段により設定された前記複数のパラメータごとの基準値間の関連度を算出する算出手段を、更に備え、
前記パラメータ値決定手段は、前記算出手段により算出された関連度に基づき、前記複数のパラメータのうちのいずれか又は全てのパラメータのパラメータ値の数が異なるようパラメータ値を決定する、
ことを特徴とする付記２に記載の撮影装置。
［付記４］
前記算出手段は、前記複数のパラメータごとの基準値間の差を算出し、
前記パラメータ値決定手段は、前記算出手段により算出された差に基づき、前記複数のパラメータのうちのいずれか又は全てのパラメータのパラメータ値の数が異なるようパラメータ値を決定する、
ことを特徴とする付記３に記載の撮影装置。
［付記５］
前記パラメータ値決定手段は、前記算出手段により算出された差が大きいほど、前記複数のパラメータのうちのいずれか又は全てのパラメータのパラメータ値の数が多くなるようにパラメータ値を決定する、
ことを特徴とする付記４に記載の撮影装置。
［付記６］
前記パラメータ値決定手段は、前記算出手段により算出された差が大きいほど、前記複数のパラメータのうちのいずれか又は全てのパラメータのパラメータ値のうち、当該複数のパラメータごとの基準値間で内側となるパラメータ値の数が多くなるようにパラメータ値を決定する、
ことを特徴とする付記５に記載の撮影装置。
［付記７］
前記パラメータ値決定手段は、前記基準値設定操作手段により設定された複数の基準値の関係性に基づき、前記複数のパラメータごとのパラメータ値の数が一定でかつ、当該複数のパラメータのうちのいずれか又は全てのパラメータのパラメータ値と各々の基準値との位置関係が異なるようにパラメータ値を決定する、
ことを特徴とする付記１に記載の撮影装置。
［付記８］
前記基準値設定操作手段により設定された前記複数のパラメータごとの基準値間の関連度を算出する算出手段を、更に備え、
前記パラメータ値決定手段は、前記算出手段により算出された関連度に基づき、前記複数のパラメータごとのパラメータ値の数が一定でかつ、基準値との位置関係が異なるようにパラメータ値を決定する、
ことを特徴とする付記７に記載の撮影装置。
［付記９］
前記算出手段は、前記複数のパラメータごとの基準値間の差を算出し、
前記パラメータ値決定手段は、前記算出手段により算出された差に基づき、前記複数のパラメータのうちのいずれか又は全てのパラメータのパラメータ値と各々の基準値との位置関係が異なるようにパラメータ値を決定する、
ことを特徴とする付記８に記載の撮影装置。
［付記１０］
前記パラメータ値決定手段は、前記算出手段により算出された差が所定の閾値より大きい場合に、前記複数のパラメータのうちのいずれか又は全てのパラメータのパラメータ値を、当該複数のパラメータごとの基準値間で内側となる位置に決定する、
ことを特徴とする付記９に記載の撮影装置。
［付記１１］
前記パラメータ値決定手段は、前記複数のパラメータごとの優先度に基づく順番で、複数のパラメータのパラメータ値を、当該複数のパラメータごとの基準値間で内側となる位置に決定する、
ことを特徴とする付記１０に記載の撮影装置。
［付記１２］
撮像画像を逐次取得する撮像手段と、
前記撮像手段により逐次取得される撮像画像に、前記基準値設定操作手段により設定される前記複数のパラメータごとの基準値の組み合わせによる撮像状態を反映したライブビュー画像を表示手段に表示する制御を行う表示制御手段と、
を更に備える、
ことを特徴とする付記１乃至１１の何れか１つに記載の撮影装置。
［付記１３］
前記ブラケット値設定手段により設定された複数のブラケット値による撮影状態を反映した複数の撮影画像を生成する生成手段を更に備える、
ことを特徴とする付記１乃至１２の何れか１つに記載の撮影装置。
［付記１４］
前記種類の異なる複数のパラメータは、画像の特性に応じて関連性を有する異なるパラメータであり、
前記パラメータ値決定手段は、前記複数のパラメータ間の関連性と、前記基準値設定操作手段により設定された当該複数のパラメータごとの基準値間の関連性とに基づき、複数のパラメータごとのパラメータ値を決定する、
ことを特徴とする付記１乃至１３の何れか１つに記載の撮影装置。
［付記１５］
種類の異なる複数のパラメータの値の組み合わせを変化させながら複数の画像を取得するブラケット撮影を行う撮影装置で実行される撮影設定方法あって、
前記複数のパラメータごとにパラメータの値を決定する基準となる基準値を、ユーザ操作により設定する基準値設定操作処理と、
前記複数のパラメータごとに、前記基準値設定操作処理により設定された基準値を基準として複数のパラメータ値を決定するパラメータ値決定処理と、
前記パラメータ値決定処理により決定された前記複数のパラメータごとの複数のパラメータ値の組み合わせにより、ブラケット撮影を行う複数のブラケット値を設定するブラケット値設定処理と、
を含むことを特徴とする撮影設定方法。
［付記１６］
種類の異なる複数のパラメータの値の組み合わせを変化させながら複数の画像を取得するブラケット撮影を行う撮影装置を制御するコンピュータに、
前記複数のパラメータごとにパラメータの値を決定する基準となる基準値を、ユーザ操作により設定する基準値設定操作機能と、
前記複数のパラメータごとに、前記基準値設定操作機能により設定された基準値を基準として複数のパラメータ値を決定するパラメータ値決定機能と、
前記パラメータ値決定機能により決定された前記複数のパラメータごとの複数のパラメータ値の組み合わせにより、ブラケット撮影を行う複数のブラケット値を設定するブラケット値設定機能と、
を実現させることを特徴とするプログラム。
【符号の説明】
【０１１９】
１・・・撮影装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮像制御部，５２・・・操作検出部，５３・・・モード設定部，５４・・・画像取得部，５５・・・画像処理部，５６・・・表示制御部，５７・・・記憶制御部，５８・・・パラメータ設定部，７１・・・パラメータ情報記憶部，７２・・・画像記憶部
【図１】
0006519280.tif 000002
【図２】
0006519280.tif 000003
【図３】
0006519280.tif 000004
【図４】
0006519280.tif 000005
【図５】
0006519280.tif 000006
【図６】
0006519280.tif 000007
【図７】
0006519280.tif 000008
【図８】
0006519280.tif 000009
【図９】
0006519280.tif 000010
【図１０】
0006519280.tif 000011
【図１１】
0006519280.tif 000012
【図１２】
0006519280.tif 000013
【図１３】
0006519280.tif 000014
【図１４】
0006519280.tif 000015
【図１５】
0006519280.tif 000016
【図１６】
0006519280.tif 000017